(57)【要約】【課題】特別のセンサを設けることなく視聴者の居眠り状態を検出して、且つ、容易に覚醒させることができるＴＶ放送受信装置を提供する。【解決手段】居眠り防止機能が設定されると、マニュアル設定においては、設定時間Ｔ１が経過して時点で、オート設定においては、毎日の電源オフ時刻を時間帯別且つ曜日別に集計して記憶する電源オフ時刻集計テーブル内において集計値最大の時間帯の警告表示時刻になったときに警告メッセージを表示して、一定時間Ｔ２内に視聴者が解除しなければ居眠り防止動作に入る。この動作では、未受信ＣＨに自動変更し、さらに、音声出力のミュート解除を行う。【選択図】  図４
2005347990.tif 000002
【特許請求の範囲】
【請求項１】
ＴＶ画面に任意のチャンネルの映像が表示されている状態で、居眠り防止機能をオンする居眠り防止機能オン手段と、
前記居眠り防止機能がオンした後の所定の時点において、視聴者が居眠りしていないかどうかについてＴＶ画面上に警告メッセージを表示する警告メッセージ表示手段と、
前記警告メッセージが表示されると、そのときから一定時間が経過するまでに視聴者により前記居眠り防止機能が解除されないと、そのときのチャンネルをＴＶ放送信号を受信していない他のチャンネルに切り換えるチャンネル切り換え手段と、
毎日の電源オフ時刻を時間帯別且つ曜日別に集計して記憶する電源オフ時刻集計テーブルとを備え、
前記警告メッセージ表示手段は、曜日別に、前記電源オフ時刻集計テーブルで集計値の最も大きい時間帯に含まれる警告表示時刻になったときに、その時刻を前記所定の時点として前記警告メッセージを表示し、
さらに、前記チャンネル切り換え手段により前記他のチャンネルに切り換えたときから、音量ボリュームを段階的に大きくする手段を設けたことを特徴とするＴＶ放送受信装置。
【請求項２】
ＴＶ画面に任意のチャンネルの映像が表示されている状態で、居眠り防止機能をオンする居眠り防止機能オン手段と、
前記居眠り防止機能がオンした後の所定の時点において、視聴者が居眠りしていないかどうかについてＴＶ画面上に警告メッセージを表示する警告メッセージ表示手段と、
前記警告メッセージが表示されると、そのときから一定時間が経過するまでに視聴者により前記居眠り防止機能が解除されないと、そのときのチャンネルをＴＶ放送信号を受信していない他のチャンネルに切り換えるチャンネル切り換え手段と、
を備えてなるＴＶ放送受信装置。
【請求項３】
毎日の電源オフ時刻を時間帯別に集計して記憶する電源オフ時刻集計テーブルを備え、前記警告メッセージ表示手段は、前記集計テーブルで集計値の最も大きい時間帯に含まれる警告表示時刻になったときに、その時刻を前記所定の時点として前記警告メッセージを表示することを特徴とする請求項２記載のＴＶ放送受信装置。
【請求項４】
前記チャンネル切り換え手段により前記他のチャンネルに切り換えたときから、音量ボリュームを段階的に大きくする手段を設けたことを特徴とする請求項２または３記載のＴＶ放送受信装置。
【請求項５】
前記電源オフ時刻集計テーブルは、毎日の電源オフ時刻を時間帯別且つ曜日別に集計して記憶し、前記警告メッセージ表示手段は、曜日別に、前記集計テーブルで集計値の最も大きい時間帯に含まれる警告表示時刻になったときに、その時刻を前記所定の時点として前記警告メッセージを表示することを特徴とする請求項３または４記載のＴＶ放送受信装置。
【発明の詳細な説明】
【技術分野】
【０００１】
この発明は、居眠り防止機能を備えたＴＶ放送受信装置に関する。
【背景技術】
【０００２】
視聴者がＴＶ放送を視聴しながら居眠りをしてしまうと、そのままＴＶ放送が継続してしまうため、無駄な電力を消費してしまうことになるとともに状況によっては火災等の危険な事態になる可能性がある。
【０００３】
そこで、従来では、視聴者の位置などを検出して視聴者の居眠り状態を検出したり（特許文献１参照）、天井に取りつけた赤外線センサにより高齢者などが就寝状態にあるかどうかを検出（特許文献２参照）するものが提案されている。
【特許文献１】特開平９−３４４２４号公報
【特許文献２】特開平９−１３１３８２号公報
【発明の開示】
【発明が解決しようとする課題】
【０００４】
しかしながら、上記各特許文献に示されるものは、視聴者の居眠り状態を検出するためのセンサを別途設けることが必要であり、また、特許文献１に示される装置では、居眠り状態を検出したときに、ＴＶ放送受信装置の動作を停止させるというものであるため、視聴者を覚醒させることができず、状況によっては健康上問題がある可能性があった。
【０００５】
この発明の目的は、特別のセンサを設けることなく視聴者の居眠り状態を検出して、且つ、容易に覚醒させることができるＴＶ放送受信装置を提供することにある。
【課題を解決するための手段】
【０００６】
この発明のＴＶ放送受信装置は、上記課題を解決するために以下の構成を備えている。
（１）ＴＶ画面に任意のチャンネルの映像が表示されている状態で、居眠り防止機能をオンする居眠り防止機能オン手段と、
前記居眠り防止機能がオンしたときから所定の時点において、視聴者が居眠りしていないかどうかについてＴＶ画面上に警告メッセージを表示する警告メッセージ表示手段と、
前記警告メッセージが表示されると、そのときから一定時間が経過するまでに視聴者により前記居眠り防止機能が解除されないと、そのときのチャンネルをＴＶ放送信号を受信していない他のチャンネルに切り換えるチャンネル切り換え手段と、
を備えることを特徴とする。
【０００７】
上記の構成においては、居眠り防止機能を例えば視聴者がリモコン等を利用してオンした状態で、所定のタイミングになるとＴＶ画面上に警告メッセージが表示される。このとき、もし、視聴者が覚醒していれば上記居眠り防止機能が解除されるからそのままＴＶ放送が継続されるが、視聴者が居眠り状態であればＴＶ画面上に表示されている警告メッセージに気づかない。このように、センサ等を設けなくても、視聴者が居眠り状態にあるかどうかを検出することができる。
【０００８】
また、視聴者が居眠り状態にあることが検出されると、そのときから一定時間が経過するまでに視聴者により前記居眠り防止機能が解除されないことを条件に、そのときのチャンネルをＴＶ放送信号を受信していない他のチャンネルに切り換える。このときの他のチャンネルはＴＶ放送信号を受信していないチャンネルであるため、音量は「ザーッ」といういわゆるスノーノイズとなる。このスノーノイズは、音量が小さくても比較的覚醒しやすくなる音質であるため、居眠り状態にある視聴者はこのスノーノイズを聴くことで覚醒しやすくなる。
（２）毎日の電源オフ時刻を時間帯別に集計して記憶する電源オフ時刻集計テーブルを備え、前記警告メッセージ表示手段は、前記集計テーブルで集計値の最も大きい時間帯に含まれる警告表示時刻になったときに、その時刻を前記所定の時点として前記警告メッセージを表示することを特徴とする。
【０００９】
この発明は、視聴者の生活リズムを利用して、上記警告メッセージを表示させようとするものである。視聴者は概ね同じ時間帯に電源をオフする習慣を持っていることが多いため、この電源オフ時刻を集計しておき、この集計結果より、現在、最も高い確率で電源がオフされる時間帯を予測する。そして、その時間帯に含まれる警告表示時刻になると、その時刻を前記所定の時点として警告メッセージを表示する。その時間帯に含まれる警告表示時刻とは、その時間帯において予め決められた警告表示時刻である。これによれば、ＴＶ画面上に警告メッセージを表示する時点を視聴者が指定する必要がなくなる。
（３）  前記チャンネル切り換え手段により前記他のチャンネルに切り換えたときから、音量ボリュームを段階的に大きくする手段を設けたことを特徴とする。
【００１０】
この発明では、スノーノイズの音量を徐々に大きくしていくために、居眠りをしている視聴者はより確実によりはやく覚醒に至るようになる。
（４）前記電源オフ時刻集計テーブルは、毎日の電源オフ時刻を時間帯別且つ曜日別に集計して記憶し、前記警告メッセージ表示手段は、曜日別に、前記集計テーブルで集計値の最も大きい時間帯に含まれる警告表示時刻になったときに、その時刻を前記所定の時点として前記警告メッセージを表示することを特徴とする。
【００１１】
この発明では、視聴者の曜日毎の生活リズムを利用して、上記警告メッセージを表示させようとするものである。例えば、土曜日と平日とでは電源オフ時刻が異なる習慣を持つ人がいるため、この発明のように曜日毎に電源オフ時刻を集計しておくことで、警告メッセージを表示する時点をより適正なものにできる利点がある。
【発明の効果】
【００１２】
この発明によれば、視聴者が居眠りしてしばらくたつと、ＴＶ画面上に警告メッセージを自動的に表示することができ、このとき居眠り防止機能が解除されないままであると、そのときのチャンネルをＴＶ放送信号を受信していない他のチャンネルに切り換え、「ザーッ」といういわゆるスノーノイズを出力することができる。したがって、特別のセンサ等を設けなくても、視聴者の居眠りを防ぐことができ、無駄な電流消費を防ぎ、火事などを防ぐことができる。また、居眠り状態にあるときは視聴者に対してスノーノイズを出力することで小さな音量でも覚醒させやすくすることができる。
【発明を実施するための最良の形態】
【００１３】
図１は、この発明の実施形態であるＴＶ受信装置の概略ブロック図である。
【００１４】
同図において、アンテナ１の受信信号はチューナに入力され、ここでチャンネル（ＣＨ）選局された信号はＡＶ信号処理部において受信信号の処理と映像信号・音声信号に対する適切な処理が行われ、映像信号はオンスクリーンディスプレイ（ＯＳＤ）処理部４を介して映像信号処理部５に入力され、ディスプレイ６に出力される。音声信号については音声信号処理部７に入力され、スピーカ８から出力される。この音声信号処理部７は、後述の制御部１０から送られてきたテキスト情報を音声合成して出力する機能を持っている。また、チューナ２では、ＡＧＣ回路９により、ＡＧＣ電圧を監視し、これにより制御部において受信感度がしきい値以下のＣＨ（信号を受信していないＣＨ。以下、未受信ＣＨという）を知ることができるようになっている。
【００１５】
制御部１０は全体の制御を行う。チューナ２に対しては、ユーザにより選局されたＣＨ、または後述の居眠り防止動作では適当なＣＨ選択信号を出力し、また、ＡＧＣ回路９からのＡＧＣ電圧により、現在、選局されているＣＨが未受信ＣＨであるかどうかを判定する。ＡＶ信号処理部３に対しては、ＡＶ（映像・音声）信号処理に対する制御信号を出力する。ＯＳＤ処理部４に対しては、ディスプレイ６上で映像に重ねて表示する文字情報等を出力する。音声信号処理部７に対しては、音声信号出力レベルの制御信号や、音声合成するためのテキスト情報を出力する。
【００１６】
制御部１０には、ＣＨ設定スイッチ、各種ファンクション設定スイッチ、後述の居眠り防止機能オン／オフ設定、居眠り監視時間Ｔ１の設定、リモコン受光部等を含むスイッチ部１１が接続され、リモコン１２によりこれらの設定も可能になっている。
【００１７】
制御部１０には、毎日の電源オフ時刻を時間帯別且つ曜日別に集計して記憶する電源オフ時刻集計テーブル（ＴＢ）１３と、視聴者が居眠りをしているかどうかを知るためにＴＶ画面上に表示する警告メッセージを記憶したりその他のデータを記憶するメモリ１４を備えている。
【００１８】
電源オフ時刻集計テーブル１３の一例を図２に示す。同図に示すように、視聴者が実際に電源をオフした時刻を時間帯別に集計して記憶するとともに、各時間帯のなかの所定の時刻を警告表示時刻として記憶する。例えば、図１に示す例では、月曜のオフをした時間帯が「２３：００〜０：２９」の場合、集計値は１０、警告表示時刻を０：００と記憶する。
【００１９】
次に上記の構成からなるＴＶ受信装置において、居眠り防止機能の概略の動作について説明する。
【００２０】
図３は、同居眠り防止機能が働いているときのＴＶ画面推移例を示している。
【００２１】
居眠り防止機能がオンし、且つ居眠り監視時間Ｔ１をマニュアル設定すると、モード１になり居眠り監視時間である設定時間Ｔ１の計数が開始する。なお、同図においては視聴者がＣＨ２を選局していて、また、設定時間Ｔ１については、リモコンにより予め設定されている。
【００２２】
設定時間Ｔ１が経過すると、モード２に移りＴＶ画面上に警告メッセージが表示される。警告メッセージは、例えば、「居眠りしていないときは、Ｅｎｔｅｒキーを押してください」とされ、メッセージ内容に対して視聴者が何らかの操作があるかどうかを判定するのに適したメッセージとされる。操作者がＥｎｔｅｒキーを操作すれば、居眠りしていないと見做して今回の監視を解除し、モード２のまま再び、設定時間Ｔ１の監視に移る。操作者によるＥｎｔｅｒキーの操作がなければ、居眠りをしていると見做して、モード３に移り居眠り防止動作を開始する。すなわち、制御部１０が未受信ＣＨの選局を自動的に行う。このとき、装置が未受信ＣＨに対する自動音声ミュート機能（未受信ＣＨにたいしては音声出力をしない機能）を働かせている場合には、そのミュート機能を解除する。制御部１０が未受信ＣＨを知るには、チューナ２に対して、ＣＨ選局信号を変えながらＡＧＣ回路９のＡＧＣ電圧（受信感度）がしきい値以下であるかどうかを判定する。受信感度がしきい値以下であれば未受信ＣＨと判定し、選局をこの未受信ＣＨに変更する。これにより、ディスプレイ６上は図３のようにノイズ画面となり、スピーカ６からは「ザーッ」というスノーノイズ音が出力される。このスノーノイズは常に発する音のため、居眠りしている視聴者はその音に気づきやすいという特性がある。
【００２３】
本実施形態では、居眠り監視時間Ｔ１をマニュアル設定できるとともに、オート設定も可能である。オート設定では、毎日の電源オフ時刻を時間帯別に集計して記憶する電源オフ時刻集計テーブルのデータを利用し、前記集計テーブルで集計値の最も大きい時間帯に含まれる警告表示時刻になったときに、前記警告メッセージを表示する。このように、居眠り監視時間Ｔ１をマニュアル設定するのに代えて、オート設定をすることで、視聴者が最も高い確立で電源をオフする時刻を学習し、その時刻になると警告メッセージを表示する。また、この動作を曜日ごとに行う。こうすることで、わざわざ警告メッセージを表示するまでの設定時間を入力してマニュアル設定をしなくても、視聴者が電源をオフする時刻に電源がオフされないと、居眠りをしている可能性があるとして警告メッセージを表示することが出来る。
【００２４】
図４は、居眠り防止機能が設定されたときの動作を示すフローチャートである。
【００２５】
居眠り防止機能はリモコン１２により特定のキーを操作することにより設定する。
【００２６】
この機能の設定とともに（ＳＴ１）、オートかマニュアルかをキー入力により設定する（ＳＴ２）。マニュアル設定の場合は、さらに、居眠り防止機能設定時からの居眠り監視時間である設定時間（所定の時間Ｔ１）を入力する。この設定時間は、居眠り防止機能の設定タイミングに無関係にいつでも設定することができる。
【００２７】
上記設定時間Ｔ１が経過すると（ＳＴ３）、ＯＳＤ処理部４を介してディスプレイ８上に、「居眠りしていない場合はＥｎｔｅｒキーを！！」の警告メッセージを表示する（ＳＴ５）。このとき、上記警告メッセージ表示タイミングから一定時間（数分間）Ｔ２の間に視聴者がＥｎｔｅｒキーを操作しなければ（ＳＴ６）、居眠りをしていると見なして、居眠り防止動作を実行する。また、上記一定時間内にＥｎｔｅｒキーの操作があれば（ＳＴ６）、今回の居眠り監視を解除し、ＳＴ３に戻り次の監視に入る。すなわち、再び設定時間Ｔ１を計数開始して、その時間経過時に警告メッセージを表示し、一定時間Ｔ２内に監視解除のためのＥｎｔｅｒキーが操作されるかどうかを判定する。
【００２８】
居眠り防止動作（ＳＴ７）では、モード3となり、制御部１０が未受信ＣＨを検出してそのＣＨを選択するとともに、自動音声ミュート機能を解除する。これにより、視聴者に対してスノーノイズが音声出力される。
【００２９】
上記ＳＴ２において、オート設定されたときには、ＳＴ４において電源オフ時刻集計テーブルＴＢを参照し、現在の曜日に対応する集計値の最も大きい時間帯の警告表示時刻になったかどうかを判定する。同警告表示時刻になれば、ＳＴ５に進み、以下、上記のＳＴ５以下と同じ動作を行う。なお、ＳＴ６において、上記一定時間Ｔ２内にＥｎｔｅｒキーの操作があれば、今回の居眠り監視を解除し、次の監視に入るが、オート設定ではＳＴ６からＳＴ４に進む。
【００３０】
以上の実施形態において、制御部は、ＳＴ７の居眠り防止動作において、音声信号処理部７に対し、スノーノイズ音声出力を徐々に大きくしていく制御を行うようにしても良い。
【００３１】
また、警告表示を行うときに、音声信号処理部７に対し、音声出力するテキストデータを送信し、音声合成を行って警告メッセージをスピーカから出力するようにしても良い。このとき、ディスプレイ６上に同警告メッセージを表示してもしなくてもかまわない。
【図面の簡単な説明】
【００３２】
【図１】この発明の実施形態であるＴＶ受信装置の概略ブロック図。
【図２】電源オフ時刻集計テーブルを示す図
【図３】モード遷移により表示状態が変わることを示す図
【図４】ＴＶ受信装置の居眠り防止機能が設定されたときの動作を示すフローチャート
【図１】
2005347990.tif 000003
【図２】
2005347990.tif 000004
【図３】
2005347990.tif 000005
【図４】
2005347990.tif 000006